(57)【要約】【課題】低コストで冷凍装置の熱源ユニットの据付作業やメンテナンス作業の安全性の向上を図る。【解決手段】本体ケーシングは、室外側冷媒回路に設けられている機器を動作させる室外側電気回路を内蔵する。ディップスイッチ７２は、据付時及び／又はメンテナンス時に手動で操作して室外側電気回路の切り換えを行なうためのスイッチである。電源線８０は、室外側電気回路に電気を供給するためのものである。そして、端子台９０は、電源線８０を固定して室外側電気回路に接続するためのものである。ディップスイッチ７２は、電源線８０が端子台９０に固定されている状態では操作できずかつ電源線８０が端子台９０から外された状態では操作できる位置に配置されている。【選択図】図４
2015114006.tif 000002
【特許請求の範囲】
【請求項１】
冷凍サイクルを行なわせるために熱源側冷媒回路（１２）に設けられている機器を動作させる所定電気回路（２８）を内蔵する本体ケーシング（４０）と、
据付時及び／又はメンテナンス時に手動で操作して前記所定電気回路の切り換えを行なう手動スイッチ（７２）と、
前記所定電気回路に電気を供給するための電源線（８０）と、
前記電源線を固定して前記所定電気回路に接続するための端子台（９０）とを備え、
前記手動スイッチは、前記電源線が前記端子台に固定されている状態では操作できずかつ前記電源線が前記端子台から外された状態では操作できる位置に配置されている、冷凍装置の熱源ユニット。
【請求項２】
前記本体ケーシングは、外部に露出可能なプリント配線基板（６１）のプリント配線回路（２８ｂ）を前記所定電気回路の一部として内蔵し、
前記手動スイッチは、前記プリント配線回路に設けられ、
前記電源線は、前記プリント配線回路を露出させた状態で取り外しができる位置に配置されている、
請求項１に記載の冷凍装置の熱源ユニット。
【請求項３】
前記手動スイッチは、前記プリント配線回路に設けられ、外部に露出可能なディップスイッチ、スライドスイッチ、ボタンスイッチ及びジャンパ線のうちの少なくとも一つを含む、
請求項２に記載の冷凍装置の熱源ユニット。
【請求項４】
前記所定電気回路は、前記熱源側冷媒回路に設けられている前記機器の一つであるインバータを駆動するためのインバータ用マイクロコンピュータ（２８ａ）、及び前記所定電気回路に接続されている前記機器を制御するための制御用マイクロコンピュータ（２８ａ）を含み、
前記プリント配線回路は、前記インバータ用マイクロコンピュータ及び前記制御用マイクロコンピュータに接続され、
前記手動スイッチは、前記制御用マイクロコンピュータの設定を切り換えられるように構成されている、
請求項２又は請求項３に記載の冷凍装置の熱源ユニット。
【発明の詳細な説明】
【技術分野】
【０００１】
本発明は、冷凍装置の熱源ユニット、特に、熱源側冷媒回路に設けられている機器を動作させる電気回路を内蔵する冷凍装置の熱源ユニットに関する。
【背景技術】
【０００２】
従来から、特許文献１（特開２００８−１０１８３２号公報）に記載されている空気調和装置の室外機のような、利用ユニットに冷熱を供給するための冷凍装置の熱源ユニットが知られている。利用ユニットに冷熱を供給するため、熱源ユニットは、利用ユニットの利用側冷媒回路に接続される熱源側冷媒回路を備えており、熱源側冷媒回路に設けられている圧縮機やファンや電動弁といった機器を内蔵している。そして、熱源ユニットは、圧縮機などの機器を動作させるための電気回路を内蔵している。
【０００３】
このような熱源ユニットの据付時やメンテナンス時には、電気回路に設けられている種々の手動スイッチを使っての熱源ユニットの設定変更が必要になることがある。熱源ユニットの冷媒回路に設けられている機器を適切に動作させるために、電気回路では種々の動作電圧や制御電圧が発生している。そこで、漏電などが発生しても手動スイッチに高い電圧が印加されないように据付時やメンテナンス時の安全を確保するために、例えば、トランスなどを用いて手動スイッチと電気回路で高い電圧を発生する部分とを絶縁するなどの対策が行なわれるのが一般的である。
【発明の概要】
【発明が解決しようとする課題】
【０００４】
しかしながら、このような安全対策を施すためには、高電圧の部分と低電圧の部分とを分けるためのトランスなどの安全対策のための部品が必要になり、熱源ユニットの価格が高くなる傾向にある。
【０００５】
本発明の課題は、低コストで冷凍装置の熱源ユニットの据付作業やメンテナンス作業の安全性の向上を図ることである。
【課題を解決するための手段】
【０００６】
本発明の第１観点に係る冷凍装置の熱源ユニットは、冷凍サイクルを行なわせるために熱源側冷媒回路に設けられている機器を動作させる所定電気回路を内蔵する本体ケーシングと、据付時及び／又はメンテナンス時に手動で操作して所定電気回路の切り換えを行なう手動スイッチと、所定電気回路に電気を供給するための電源線と、電源線を固定して所定電気回路に接続するための端子台とを備え、手動スイッチは、電源線が端子台に固定されている状態では操作できずかつ電源線が端子台から外された状態では操作できる位置に配置されているものである。
【０００７】
第１観点の冷凍装置の熱源ユニットにおいては、電源線が端子台に固定されている状態では手動スイッチが操作できずかつ電源線が端子台から外された状態では手動スイッチが操作できる位置に配置されていることから、手動スイッチを操作するためには、必然的に電源線が端子台から外される。電源線が端子台から外されると、所定電気回路に対する電源線からの電気の供給が停止される。その結果、所定電気回路の切り換えを行なう手動スイッチでは電圧の発生がなくなるので、安全に手動スイッチの操作を行うことができる。
【０００８】
本発明の第２観点に係る冷凍装置の熱源ユニットは、第１観点に係る室外ユニットにおいて、本体ケーシングは、外部に露出可能なプリント配線基板のプリント配線回路を所定電気回路の一部として内蔵し、手動スイッチは、プリント配線回路に設けられ、電源線は、プリント配線回路を露出させた状態で取り外しができる位置に配置されている、ものである。
【０００９】
第２観点の冷凍装置の熱源ユニットにおいては、本体ケーシングに内蔵されているプリント配線回路を露出させることで、端子台からの電源線の取り外しと手動スイッチの操作を行なえるので、手動スイッチの操作が容易になる。
【００１０】
本発明の第３観点に係る冷凍装置の熱源ユニットは、第２観点に係る室外ユニットにおいて、手動スイッチは、プリント配線回路に設けられ、外部に露出可能なディップスイッチ、スライドスイッチ、ボタンスイッチ及びジャンパ線のうちの少なくとも一つを含む、ものである。
【００１１】
第３観点の冷凍装置の熱源ユニットにおいては、ディップスイッチ、スライドスイッチ、ボタンスイッチ及びジャンパ線のような従来からあるスイッチ類でも、電源線を外さなければ操作できないので、電源を切らずに直接作業しても安全な他のスイッチ類との区別がつけ易くなる。
【００１２】
本発明の第４観点に係る冷凍装置の熱源ユニットは、第２観点又は第３観点に係る室外ユニットにおいて、所定電気回路は、熱源側冷媒回路に設けられている機器の一つであるインバータを駆動するためのインバータ用マイクロコンピュータ、及び所定電気回路に接続されている機器を制御するための制御用マイクロコンピュータを含み、プリント配線回路は、インバータ用マイクロコンピュータ及び制御用マイクロコンピュータに接続され、手動スイッチは、制御用マイクロコンピュータの設定を切り換えられるように構成されている、ものである。
【００１３】
第４観点の冷凍装置の熱源ユニットにおいては、比較的高い電圧が印加されるインバータ用マイクロコンピュータと、手動スイッチが接続されている制御用マイクロコンピュータとの絶縁分離を簡素化できる。
【発明の効果】
【００１４】
本発明の第１観点に係る冷凍装置の熱源ユニットでは、手動スイッチの配置位置によってメンテナンス作業の安全性の向上を図ることができ、低コストで据付作業やメンテナンス作業の安全性の向上を図ることができる。
【００１５】
本発明の第２観点に係る冷凍装置の熱源ユニットでは、据付動作やメンテナンス動作が速く安全に行なえるようになる。
【００１６】
本発明の第３観点に係る冷凍装置の熱源ユニットでは、従来からあるスイッチ類を手動スイッチとして用いてコストの削減を図ることができる。
【００１７】
本発明の第４観点に係る冷凍装置の熱源ユニットでは、インバータ用マイクロコンピュータと制御用マイクロコンピュータとの絶縁分離の簡素化により、コストの削減を図ることができる。
【図面の簡単な説明】
【００１８】
【図１】本発明の一実施形態に係る空気調和装置の冷媒回路。
【図２】本発明の一実施形態に係る室外ユニットの斜視図。
【図３】（ａ）従来の室外側電気回路の構成の概要を示すブロック図、（ｂ）第１実施形態に係る室外側電気回路の構成の概要を示すブロック図。
【図４】端子台カバーを取り外した状態を示す正面拡大図。
【図５】電源線とプリント配線基板との位置関係を説明するための部分拡大側面図。
【発明を実施するための形態】
【００１９】
（１）全体構成
（１−１）空気調和装置の冷媒回路
本発明の一実施形態に係る冷凍装置の熱源ユニットとして、空気調和装置の室外ユニットを例に挙げて説明する。図１には、空気調和装置の冷媒回路が示されている。空気調和装置１０は、マルチ型の空気調和装置であって、１台の室外ユニット２０に対して５台の室内ユニット３０が並列に接続される構成となっている。ここでは、５台の室内ユニット３０が１台の室外ユニット２０に接続されている例が示されているが、後述する液管接続口やガス管接続口の数の設定などを変えれば、接続できる室内ユニット３０の台数の上限値は変更することができる。また、この実施形態のように構成されている空気調和装置１０でも、常に１台の室外ユニット２０に５台の室内ユニット３０を接続しなければならない訳ではなく、５台以内であれば何台でも接続が可能である。接続される室内ユニット３０が４台以下の場合には、室内ユニット３０が接続されない液管接続口やガス管接続口は、閉鎖される。
【００２０】
空気調和装置１０の冷媒回路１１は、主として、圧縮機２１、四路切換弁２２、室外熱交換器２３、５つの電動弁２４、室内熱交換器３１が順に接続されたものである。この冷媒回路１１では、蒸気圧縮式の冷凍サイクルが行なわれる。冷媒回路１１は、室外ユニット２０の中に形成される室外側冷媒回路１２と室内ユニット３０の中に形成される室内側冷媒回路１３とが接続された構成になっている。室外側冷媒回路１２には、圧縮機２１、四路切換弁２２、室外熱交換器２３、５つの電動弁２４が含まれ、室内側冷媒回路１３には室内熱交換器３１が含まれる。
【００２１】
室外ユニット２０の室外側冷媒回路１２と室内ユニット３０の室内側冷媒回路１３との間は、５本のガス側冷媒連絡配管１７ａおよび５本の液側冷媒連絡配管１７ｂにより接続されている。５本のガス側冷媒連絡配管１７ａは、室外ユニット２０のガス管接続ポート２６に接続され、５本の液側冷媒連絡配管１７ｂは、室外ユニット２０の液管接続ポート２７に接続される。ガス管接続ポート２６は、５本のガス側冷媒連絡配管１７ａを１本にまとめて、ガス側閉鎖弁１８を介してその１本のガス管を四路切換弁２２の第４ポートに接続する。この四路切換弁２２の第２ポートは室外熱交換器２３の一端側に接続されている。液管接続ポート２７は、５本の液側冷媒連絡配管１７ｂをそれぞれ５つの電動弁２４の一端側に接続して、５つの電動弁２４の他端側を１本の液管にまとめて接続している。液管接続ポート２７は、液側閉鎖弁１９を介して５つの電動弁２４の他端側に接続される１本の液管を室外熱交換器２３の他端側に接続している。また、圧縮機２１の吐出側が四路切換弁２２の第１ポートに接続され、四路切換弁２２の第３ポートが圧縮機２１の吸入側に接続されている。
【００２２】
室外ユニット２０には、圧縮機２１や四路切換弁２２や電動弁２４や室外ファン（図示せず）などを動作させるための室外側電気回路２８が設けられている。また、各室内ユニット３０には、室内ファン（図示せず）などを動作させるための室内側電気回路３２が設けられている。これら室内側電気回路３２は、配線群１５によって室外側電気回路２８と接続されている。
【００２３】
（１−２）空気調和装置の動作
次に、この空気調和装置１０の冷房運転時及び暖房運転時の動作について説明する。なお、以下の説明では、５台の室内ユニット３０が全て動作している場合について説明しているが、各室内ユニット３０は、空気調和装置１０の設定や環境状況によって動作したり、停止したりするものである。
【００２４】
（１−２−１）冷房運転
まず、冷房運転時は、四路切換弁２２が図１において実線で示す状態に切り換えられて第１ポートと第２ポートが接続され、第３ポートと第４ポートが接続される。つまり、圧縮機２１の吐出側が室外熱交換器２３の一端側に接続され、圧縮機２１の吸入側がガス側閉鎖弁１８に接続される。このような冷房運転時の冷媒回路１１の回路構成により、圧縮機２１から吐出された高温高圧のガス冷媒は、四路切換弁２２を介して室外熱交換器２３に流入し、室外熱交換器２３で室外空気と熱交換されることによって凝縮して液化する。室外熱交換器２３で液化した液冷媒は、液側閉鎖弁１９を通過した後、５つに分流され、５つの分流が５つの電動弁２４をそれぞれ通過する。液管接続ポート２７の５つの電動弁２４を通過した液冷媒は、電動弁２４を通過することで膨張し、それぞれ５本の液側冷媒連絡配管１７ｂを通って５台の室内ユニット３０にそれぞれ流入する。
【００２５】
各室内ユニット３０において、液冷媒は、室内熱交換器３１で室内空気と熱交換して蒸発する。そして、冷媒の蒸発によって冷却された室内空気は、図示しない室内ファンによって室内へと吹き出され、室内を冷房する。また、５台の室内熱交換器３１で蒸発して気化したガス冷媒は、５本のガス側冷媒連絡配管１７ａを通ってガス管接続ポート２６から室外ユニット２０の室外側冷媒回路１２に戻り、四路切換弁２２を介して圧縮機２１に吸入される。
【００２６】
（１−２−２）暖房運転
一方、暖房運転時は、四路切換弁２２が図１において破線で示す状態に切り換えられて第１ポートと第４ポートが接続され、第２ポートと第３ポートが接続される。つまり、圧縮機２１の吐出側がガス側閉鎖弁１８に接続され、圧縮機２１の吸入側が室外熱交換器２３の一端側に接続される。このような暖房運転時の冷媒回路１１の回路構成により、圧縮機２１から吐出された高温高圧のガス冷媒は、四路切換弁２２及びガス側閉鎖弁１８を介してガス管接続ポート２６から５本のガス側冷媒連絡配管１７ａに流出する。そして、ガス冷媒は、これら５本のガス側冷媒連絡配管１７ａを通って各室内ユニット３０の室内熱交換器３１に流入し、室内熱交換器３１で室内空気と熱交換されることによって凝縮して液化する。冷媒の凝縮によって加熱された室内空気は、室内ファンによって室内へと吹き出され、室内を暖房する。５台の室内熱交換器３１において液化した液冷媒は、それぞれ５本の液側冷媒連絡配管１７ｂを通って液管接続ポート２７から室外ユニット２０の室外側冷媒回路１２に戻る。室外ユニット２０に戻った液冷媒は、液管接続ポート２７において５つの電動弁２４を通過して膨張する。５つの電動弁２４を通過した液冷媒は、液管接続ポート２７で合流して液側閉鎖弁１９を通過して室外熱交換器２３に流入する。室外熱交換器２３に流入した液冷媒は、室外熱交換器２３で室外空気と熱交換して蒸発する。室外熱交換器２３で蒸発して気化したガス冷媒は、四路切換弁２２を介して圧縮機２１に吸入される。
【００２７】
（２）室外ユニットの詳細構成
（２−１）室外ユニットの外観
図２は、室外ユニット２０の正面側の右斜め上方から見た外観を示す斜視図である。室外ユニット２０は、本体ケーシング４０とポートケーシング５０とを備えている。本体ケーシング４０は、前板４１と天板４２と端子台カバー４３（右側板）と左側板（図示せず）と底板（図示せず）とを備えている。また、本体ケーシング４０の前板４１には、開口部の前に室外ファンのプロペラ２９をカバーするためのグリル４４が取り付けられている。
【００２８】
本体ケーシング４０の端子台カバー４３からさらに右に食み出すように、ポートケーシング５０が取り付けられている。ポートケーシング５０は、ガス管接続ポート２６や液管接続ポート２７などを覆うための樹脂製の筐体である。図１に示されているように、ポートケーシング５０内には、ガス側閉鎖弁１８、液側閉鎖弁１９、ガス管接続ポート２６、液管接続ポート２７、電動弁２４及び配線群１５の一部が収納されている。
【００２９】
この室外ユニット２０の上部に電装品箱（図示せず）が取り付けられている。そして、端子台カバー４３を外すと、プリント配線回路２０３及び端子台９０（図３（ｂ）及び図４参照）が露出する構成になっている。
【００３０】
（２−２）室外側電気回路の概要
図３（ａ）には、従来の室外側電気回路２００の概要が示され、図３（ｂ）には第１実施形態の室外側電気回路２８の概要が示されている。従来の室外側電気回路２００は、圧縮機２１や室外ファンなどの比較的高い電圧が印加される部分の制御を行なうＩＮＶ用マイクロコンピュータ２０１と室外ユニット２０の全体の制御を行なう制御用マイクロコンピュータ２０２とプリント配線回路２０３とを含んでいる。プリント配線回路２０３は、外部に露出されるプリント配線基板２１０に設けられている。制御用マイクロコンピュータ２０２は、比較的低い電圧しか印加されないので、ＩＮＶ用マイクロコンピュータ２０１とはトランス２０４によって電気的に接続されている。そのため、ＩＮＶ用マイクロコンピュータ２０１に印加される高電圧は、制御用マイクロコンピュータ２０２や、制御用マイクロコンピュータ２０２に接続されているプリント配線回路２０３には印加されない。
【００３１】
一方、図３（ｂ）に示されているように、第１実施形態の室外側電気回路２８は、上述のＩＮＶ用マイクロコンピュータ２０１と制御用マイクロコンピュータ２０２の機能を兼ねる制御用とＩＮＶ用の共用のマイクロコンピュータ２８ａとプリント配線回路２８ｂとを含んでいる。そのため、制御用とＩＮＶ用の共用のマイクロコンピュータ２８ａは、圧縮機２１や室外ファンなどに接続されており、比較的高い電圧が印加される。また、プリント配線回路２８ｂにも比較的高い電圧が印加される。
【００３２】
（２−３）室外側電気回路の操作部
図１に示されている室外側電気回路２８に対する簡易な設定操作は、本体ケーシング４０の端子台カバー４３を取り外すことによって行なえるようになっている。図４には、端子台カバー４３が取り外された状態が示されている。
【００３３】
（２−３−１）プリント配線基板
端子台カバー４３を外すと、開口部４５を通してプリント配線基板６１が露出するように構成されている。プリント配線基板６１は、電装品箱の中に収納されており、プリント配線基板６１の上には室外側電気回路２８の一部であるプリント配線回路２８ｂが形成されている。例えば、各室内ユニット３０に種々の機能を持たせており、５台のうちの特定の１台だけ夜間に低騒音で運転できるように１台だけ空調出力を下げるための設定をするときにプリント配線基板６１のプリント配線回路２８ｂが用いられる。また、室内側電気回路３２と室外側電気回路２８の電源線の結線について、室外側電気回路２８が所望の室内ユニット３０の室内側電気回路３２に接続されずに誤って他の室内ユニット３０の室内側電気回路３２に接続されている場合に、誤配線であることを検知する機能がプリント配線回路２８ｂに形成されている
（２−３−２）スイッチ類
プリント配線基板６１の上には、種々の電気部品が実装されてプリント配線回路２８ｂが形成されているが、ここではプッシュスイッチ７１及びディップスイッチ７２以外の電気部品については図示が省略されている。図４に示されているプッシュスイッチ７１及びディップスイッチ７２は、いずれも据付時やメンテナンス時に操作して室外側電気回路２８の切り換えを行なうためのスイッチである。この実施形態では、プッシュスイッチ７１は、電源を入れた状態で操作するスイッチであり、ディップスイッチ７２は、電源を切った状態で操作するスイッチである。プッシュスイッチ７１は、例えば専用の治具などで操作できるように構成されていてプッシュスイッチ７１を直接手で操作しなくてもよい構造を有しているか、周りに極めて低い電圧しか印加されないか、あるいは絶縁性の高い樹脂キャップなどで覆われていてプッシュスイッチ７１を直接手で操作できるような安全性が高い構造を有している。つまり、プッシュスイッチ７１は室外側電気回路２８の電源を切らずに直接作業を行なっても安全なスイッチである。ディップスイッチ７２は、直方体状の基体７２ａの１つのパッケージの一面にスライドする複数のスライドスイッチ７２ｂが並んだ形態を持っている。そして、スライドスイッチ７２ｂを手動で操作することによって室外側電気回路２８に対する種々の設定ができるように構成されている。
【００３４】
（２−３−３）電源線
ディップスイッチ７２の前方には、電源線８０が配置されている。電源線８０は、単相３線式の商用交流電源のケーブルからなる。すなわち、Ｕ相の電源を供給するための第１ケーブル８１とＶ相の電源を供給するための第２ケーブル８２と接地ケーブル８３が電源線８０を構成している。第１ケーブル８１、第２ケーブル８２及び接地ケーブル８３は、それぞれ金属製の芯線の周りをプラスチックやエラストマーの絶縁性材料が覆っている構造を有している。第１ケーブル８１、第２ケーブル８２及び接地ケーブル８３のそれぞれの先端には接続部８１ａ，８２ａ，８３ａが設けられており、接続部８１ａ，８２ａ，８３ａが端子台９０に固定される。そして、接続部８１ａ，８２ａ，８３ａは、端子台９０に固定されることにより、室外側電気回路２８に商用交流電源を供給できるように室外側電気回路２８に接続される。逆に言えば、接続部８１ａ，８２ａ，８３ａが端子台９０から取り外されることにより、室外側電気回路２８に商用交流電源が供給されなくなる。第１ケーブル８１、第２ケーブル８２及び接地ケーブル８３は、それぞれ接続部８１ａ，８２ａ，８３ａから延びるワイヤ部８１ｂ，８２ｂ，８３ｂを有している。ワイヤ部８１ｂ，８２ｂ，８３ｂは結束バンド９２によって結束されている。ここで、第１ケーブル８１のワイヤ部８１ｂと第２ケーブル８２のワイヤ部８２ｂの間は、プラスチックやエラストマーなどの絶縁性材料で結合されている。そのため、第１ケーブル８１と第２ケーブル８２は、一本の太いケーブルのように見える。その結果、図４及び図５に示されているディップスイッチ７２の配置位置でディップスイッチ７２のスライドスイッチ７２ｂが全体にわたって第１ケーブル８１と第２ケーブル８２とで覆われ、据付作業やメンテナンス作業を行なう作業者は、電源線８０を外していない状態ではディップスイッチ７２を操作することができないように構成されている。
【００３５】
端子台９０から電源線８０が取り外されると、電源線８０は、ワイヤ部８１ｂ，８２ｂ，８３ｂの部分を右側（図４の紙面に対して垂直な方向）に向かって湾曲させることができる。端子台９０から電源線８０が取り外されると、上述したように電源線８０による室外側電気回路２８への商用交流電源の供給が停止される。その結果、プリント配線基板６１のプリント配線回路２８ｂの電源が切れて、ディップスイッチ７２から作業者に対して電気が流れることはなくなる。
【００３６】
（２−３−４）端子台
図５に示されているように、端子台９０は、電装品箱の中の第１領域１０１に固定されている。一方、プリント配線基板６１は、電装品箱の中の第２領域１０２に固定されている。そして、第１領域１０１と第２領域１０２とは段差部１０３で接続されている。そのため、プリント配線基板６１と電源線８０は前後にずれた位置に配置され、正面から見ると重なるが側面から見ると重ならない位置に配置される。
【００３７】
端子台９０は、第１領域１０１に固定されている下部部材９０ｂとネジ９１によって下部部材９０ｂに固定されている上部部材９０ａを備えている。ネジ９１を外して上部部材９０ａを取り外すことにより、電源線８０を端子台９０から取り外すことができる構成になっている。ネジ９１は、絶縁材料で構成されている端子台９０のネジ穴に螺合することができる。そのため、ネジ９１の着脱において感電などが問題になることはない。また、端子台９０の上部部材９０ａ及び下部部材９０ｂも露出している外面は絶縁材料のみで構成されているので、上部部材９０ａの取り外し作業において上部部材９０ａ及び下部部材９０ｂの露出している外面を作業者が触っても感電することはない。さらに、上部部材９０ａを取り外した後の電源線８０が接続している状態の下部部材９０ｂも電源線８０を取り外さないと導電体には触れることができない構成になっている。例えば、電源線８０が凹んでおり、下部部材９０ｂの凸状の導電体がその電源線８０の凹部に嵌り込むように構成されている。電源線８０が下部部材９０ｂから外れると、下部部材９０ｂは商用交流電源からの供給が停止するので、下部部材９０ｂの導電体を触っても感電することはない。
【００３８】
（３）特徴
（３−１）
上述のように、室外ユニット２０（熱源ユニットの例）の電源線８０が端子台９０に固定されている状態ではディップスイッチ７２（手動スイッチの例）の配置位置が電源線８０の裏側にあるため、電源線８０が邪魔になってディップスイッチ７２は手動で操作できない。電源線８０が端子台９０から外された状態では、電源線８０を端子台カバー４３に対して垂直な方向に湾曲させることでディップスイッチ７２が操作できるようになる。ディップスイッチ７２を操作するために必然的に電源線８０が端子台９０から外されるため、室外側電気回路２８（所定電気回路の例）に対する電源線８０からの商用交流電気からの供給が停止される。その結果、室外側電気回路２８の切り換えを行なうディップスイッチ７２では電圧の発生がなくなるので、安全にディップスイッチ７２を手動で操作できる。このように、ディップスイッチ７２の配置位置によってメンテナンス作業の安全性の向上を図ることができ、低コストで据付作業やメンテナンス作業の安全性の向上を図ることができる。
【００３９】
（３−２）
本体ケーシング４０は、据付時やメンテナンス時に、外部に露出可能なプリント配線基板６１のプリント配線回路２８ｂを室外側電気回路２８の一部として内蔵している。そして、ディップスイッチ７２は、プリント配線基板６１のプリント配線回路２８ｂに設けられている。電源線８０は、開口部４５から端子台９０のネジ９１を取り外すことで取り外しができる位置に配置されている。端子台カバー４３を外すことで、開口部４５を通じて端子台９０からの電源線８０の取り外しとディップスイッチ７２の操作を行なえるので、ディップスイッチ７２による切り換え操作が容易になる。このように端子台カバー４３を外して端子台９０からの電源線８０を取り外すことで電源線８０や端子台９０に対する作業が行なえ、プリント配線基板６１のプリント配線回路２８ｂに設けられているディップスイッチ７２の切り換えが行なえるように構成されているので、据付動作やメンテナンス動作が速く安全に行なえるようになる。
【００４０】
（３−３）
上述のように、プッシュスイッチ７１は電源線８０を外さなくても作業ができるスイッチ類に属する。一方、ディップスイッチ７２は、電源線８０を外さなければ操作できないスイッチであるので、プッシュスイッチ７１とは異なって室外側電気回路２８の電源が入っているときに触れてはいけないスイッチであることが視覚的に区別できる。このように、従来からあるスイッチ類を用いても、室外側電気回路２８の電源が入った状態で触れるか否かを区別し易くなるので、作業者へのこのような情報の伝達のために特殊なスイッチを用いたり表示をしたりする手間が省け、従来からあるスイッチ類を用いてコストの削減を図ることができる。
【００４１】
（３−４）
室外側電気回路２８は、室外側冷媒回路１２（熱源側冷媒回路の例）に設けられている機器の一つである圧縮機２１や室外ファン（インバータの例）を駆動するための制御用とＩＮＶ用の共用のマイクロコンピュータ２８ａ（インバータ用マイクロコンピュータ及び室制御用マイクロコンピュータの例）を含んでいる。プリント配線回路２８ｂは、制御用とＩＮＶ用の共用のマイクロコンピュータ２８ａに接続されている。そして、ディップスイッチ７２は、制御用とＩＮＶ用の共用のマイクロコンピュータ２８ａの制御用マイクロコンピュータの設定を切り換えられるように構成されている。そのため、比較的高い電圧が印加されるインバータ用マイクロコンピュータと、手動スイッチが接続されている制御用マイクロコンピュータとの絶縁分離を簡素化して、制御用とＩＮＶ用の共用のマイクロコンピュータ２８ａを用いることができる。例えば、従来の室外側電気回路２００で用いられていたトランス２０４を省くことでコストの削減を図ることができる。
【００４２】
（４）変形例
（４−１）変形例Ａ
上記実施形態では、ディップスイッチ７２を、電源線８０が端子台９０に固定されている状態では操作できずかつ電源線８０が端子台９０から外された状態では操作できる位置に配置されている手動スイッチの例として説明したが、手動スイッチとしては、スライドスイッチ、ボタンスイッチ及びジャンパ線を用いることができる。
【００４３】
（４−２）変形例Ｂ
上記実施形態では、制御用とＩＮＶ用の共用のマイクロコンピュータ２８ａを用いたが、インバータ用マイクロコンピュータ及び制御用マイクロコンピュータを別々のものとして接続してもよい。その場合でもトランスなどを省くことができるので、上記実施形態と同様の効果を奏する。
【００４４】
（４−３）変形例Ｃ
上記実施形態では、電源線８０のワイヤ部８１ｂ，８２ｂを絶縁材料で一体化して太い一つのケーブルのようにしていたが、例えば、これらを分離して結束バンド９２などの部材で一体化してもよい。また、ディップスイッチ７２を覆う蓋付きのケースを設け、電源線８０の第１ケーブル８１と第２ケーブル８２をケースの蓋と一体化させてもよい。その場合には、例えば第１ケーブル８１と第２ケーブル８２を端子台９０から取り外さなければディップスイッチ７２を覆うケースの蓋が開かず、取り外すと蓋が開くように構成される。
【００４５】
（４−４）変形例Ｄ
上記実施形態では、端子台９０を電装品箱の中に設ける場合について説明したが、端子台９０は、電装品箱の外に設けてもよい。また、電源線８０とプリント配線基板６１の位置関係は、前後にずらすだけでなく、左右や上下にずらしてもよい。
【符号の説明】
【００４６】
１０    空気調和機
１１    冷媒回路
１２    室外側冷媒回路
１３    室内側冷媒回路
２０    室外ユニット
２８    室外側電気回路
２８ａ    共用のマイクロコンピュータ
２８ｂ    プリント配線回路
３０    室内ユニット
４０    本体ケーシング
６１    プリント配線基板
７２    ディップスイッチ
８０    電源線
９０    端子台
【先行技術文献】
【特許文献】
【００４７】
【特許文献１】特開２００８−１０１８３２号公報
【図１】
2015114006.tif 000003
【図２】
2015114006.tif 000004
【図３】
2015114006.tif 000005
【図４】
2015114006.tif 000006
【図５】
2015114006.tif 000007